(57)【要約】【課題】長期間安定して原稿を先端から分離ニップ部へ導くことができ、原稿の折れ曲がりや破損することなく原稿束を給送ローラと分離ローラにて一枚ずつ捌いて装置内へ給送することができるシート給送装置を提供する。【解決手段】シート給送装置１００は、上述した原稿台２、ピックアップローラ５、給送ローラ６、分離ローラ７、搬送ローラ対９、ガイド部材１６、及び弾性押圧部材１７を備える。ガイド部材１６は、給送ローラ６の近傍に並行して配設され、且つ図２の向かって給紙口側が自由端１６ｃ、その反対の端が軸支された軸支端１６ａである。ガイド部材１６の自由端１６ｃは、剛体であって、弾性押圧部材１７により押圧される。ガイド部材１６の分離ニップ部Ｎ近傍に位置する押圧部１６ｂは、給送ローラ６に対して径方向の外方に突出す突出位置と径方向の内方に退避する退避位置との間で可動する。【選択図】図２
2008068968.tif 000002
【特許請求の範囲】
【請求項１】
シートを積載台から取り込むシート給送装置において、
前記積載台に積載されたシートを給紙口に送り込むピックアップローラと、
前記給紙口に送り込まれたシートを装置内に給送する給送ローラと、
該給送ローラに分離ニップ部において圧接され、前記給送されるシートを１枚ずつに分離する分離ローラと、
前記給送ローラの側面近傍に並行して配設され、且つ前記給送ローラをその軸方向から見た場合に、少なくとも前記分離ニップ部近傍に位置する部分が前記給送ローラに対して径方向の外方に突出す突出位置と前記径方向の内方に退避する退避位置との間で可動するガイド部材とを備え、
前記ガイド部材は剛体からなることを特徴とするシート給送装置。
【請求項２】
前記ガイド部材の前記分離ニップ部近傍に位置する部分が前記突出位置となるように、前記ガイド部材を付勢する付勢手段をさらに有し、
前記付勢手段は弾性体からなることを特徴とする請求項１記載のシート給送装置。
【請求項３】
前記ガイド部材は弾性変形可能な弾性形状部を少なくとも一箇所に有し、前記付勢手段は前記弾性形状部であることを特徴とする請求項１記載のシート給送装置。
【請求項４】
前記ガイド部材は、前記突出位置側に前記ガイド部材が変位するよう、その重量が調整されていることを特徴とする請求項１記載のシート給送装置。
【請求項５】
前記ガイド部材の前記給紙口側が自由端、その反対側が回転中心となるよう支持された支持端であって、該支持端は前記給送ローラの回転軸よりも給送方向の下流側に設けられていることを特徴とする請求項１乃至４のいずれか１項に記載のシート給送装置。
【発明の詳細な説明】
【技術分野】
【０００１】
本発明は、シート給送装置に関し、特に、複写機、ファクシミリ装置及びプリンタなどの画像形成装置やスキャナなどの画像読取装置などが備えるシート給送装置に関する。
【背景技術】
【０００２】
シート給送装置は、積載台に載置されたシートをピックアップローラと給送ローラにて装置内へ給送する。シート束を連続給送する場合は、さらに、給送ローラに圧接され給送方向とは逆方向にトルクリミッタを介して回転駆動される分離ローラ（図９の１０４’）又は給送ローラに圧接された分離パッドを用いてシート束を１枚ずつに捌きながら、装置内へ給送する手段が用いられる。このとき給送ローラと、分離ローラ又は分離パットとの圧接部である分離ニップ部にシートが先端から送り込まれないと、シートの折れ曲がりや破損が発生する。そのため、分離ニップ部にシートを先端から送り込むことが重要である。
【０００３】
例えば、原稿読取装置に用いられる従来の連続給送可能なシート給送装置６００は、図６、図７に示すように、読取対象である原稿を不図示の搬送経路上に送るピックアップローラ１０１を備える。さらに、シート給送装置６００は、シャフト１０５を中心に回転して前記ピックアップローラ１０１を昇降させるためのアーム１０２と、搬送経路上に給送された原稿を装置内部に給送する給送ローラ１０３とを備える。また、シート給送装置６００は、給送ローラ１０３と圧接して原稿を一枚ずつ分離する分離パッド１０４と、ピックアップローラ１０１から給送ローラ１０３へ原稿をスムーズに案内するための固定ガイド１０６とを備える。また、シート給送装置６００は、原稿をセットする載置台としての給紙トレイ１１１と、支点ｂを回動軸として回動可能にアーム１０２に取付けられ、ピックアップローラ１０１から給送ローラ１０３へ原稿を案内するガイド部材１１４とを備える。
【０００４】
ガイド部材１１４は、その先端部（下流側）の原稿接触部分にあたる位置にマイラ板等の弾性変形可能な弾性薄板部材１１５を備える。
【０００５】
次に、図６を参照しながら、上記先端部に弾性薄板部材１１５を有するガイド部材１１４の特徴的な動きも含めて原稿の供給動作について説明する。
【０００６】
まず、給紙トレイ１１１上に載置された原稿束を、不図示のセンサが検知すると、画像読取装置は読取動作が可能な状態となる。その後、ユーザが不図示の読取開始キーを押下すると、読取動作が開始され、不図示のソレノイド等により原稿ストッパ１１７が実線の位置から点線の位置に下降する。次に、モータＭが正転方向に回転すると、これによりピックアップローラ１０１、給送ローラ１０３及びアーム１０２がそれぞれ図６の矢印方向に駆動されて回転を開始する。この回転駆動により、アーム１０２は下降するので、ピックアップローラ１０１が原稿束の最上部に押圧される。また、モータＭの回転により、ピックアップローラ１０１が回転するので、最上部の数枚の原稿が固定ガイド１０６とガイド部材１１４により給送ローラ１０３と分離パッド１０４の間の分離ニップ部の位置まで案内される。原稿は分離ニップ部の位置において一枚づつに分離された後、給送ローラ１０３により装置内部に給送される。この給送された原稿は、給送ローラ１０３及び分離パッド１０４より下流側に配設された不図示の搬送ローラ対により、さらに下流に搬送される。
【０００７】
次に、給紙トレイ１１１上の読取対象の原稿が上方に湾曲した状態であるときのガイド部材１１４の動きを図８に示す。
【０００８】
ガイド部材１１４は、湾曲した状態の原稿Ｄ１が進入、衝突してきた際に、原稿Ｄ１に押し退けられてアーム１０２上の支点ｂを中心に上方（図８中矢印方向）へ退避する。一方、ガイド部材１１４がその先端部に備える弾性薄板部材１１５は、一端がガイド部材１１４に両面テープ等で固定され、他端が自由端となっている。このため、前述の退避が行われると、ガイド部材１１４の自由端が給送ローラ１０３に接触し、図８に示すように弾性変形して湾曲する構成となっている。即ち、弾性薄板部材１１５は読取対象の原稿Ｄ１の先端を分離パッド１０４へ導くような形状に弾性変形する構成となっている。こうすることで、前述の如くガイド部材１１４が退避した場合であっても、前記弾性薄板部材１１５によって原稿を分離ニップ部へ正確に導くことができる。
【０００９】
また、図９に示すように、分離パッド１０４の代わりに、分離ローラ１０４’を備えるシート給送装置も知られている。
【特許文献１】特許第３４９２２７５号公報
【発明の開示】
【発明が解決しようとする課題】
【００１０】
しかしながら、従来のシート給送装置には以下に示すような問題点がある。
【００１１】
すなわち、原稿Ｄ１を分離ニップ部に導くために配設されている弾性薄板部材１１５の自由端は給紙口近傍にあるため、ユーザーが容易に触れることができる。このため、紙詰まりの処理やピックアップローラ１０１、分離パッド１０４（分離ローラ）等の交換、清掃などのメンテナンス時に、ユーザが弾性薄板部材１１５を塑性変形や破損してしまい、原稿を先端から分離ニップ部へ導くことができなくなる場合があった。
【００１２】
また、ガイド部材１１４は軸支端で軸支されてピックアップローラ１０１と給送ローラ１０３の間に配設されている。このため、ピックアップローラ１０１と給送ローラ１０３の距離を短くすると、ガイド部材１１４の固定端から原稿Ｄ１が弾性薄板部材１１５を押し上げる作用点までの距離が短くなる。従って、原稿Ｄ１が弾性薄板部材１１５を押し退けにくくなり原稿Ｄ１の通過が阻害される。このため、ピックアップローラ１０１及び給送ローラ１０３周辺部の小型化が難しい。
【００１３】
本発明の目的は、長期間安定して原稿を先端から分離ニップ部へ導くことができ、原稿の折れ曲がりや破損することなく原稿束を給送ローラと分離ローラにて一枚ずつ捌いて装置内へ給送することができるシート給送装置を提供することにある。
【課題を解決するための手段】
【００１４】
上記目的を達成するために、請求項１記載のシート給送装置は、シートを積載台から取り込むシート給送装置において、前記積載台に積載されたシートを給紙口に送り込むピックアップローラと、前記給紙口に送り込まれたシートを装置内に給送する給送ローラと、該給送ローラに分離ニップ部において圧接され、前記給送されるシートを１枚ずつに分離する分離ローラと、前記給送ローラの側面近傍に並行して配設され、且つ前記給送ローラをその軸方向から見た場合に、少なくとも前記分離ニップ部近傍に位置する部分が前記給送ローラに対して径方向の外方に突出す突出位置と前記径方向の内方に退避する退避位置との間で可動するガイド部材とを備え、前記ガイド部材は剛体からなることを特徴とする。
【発明の効果】
【００１５】
本発明によれば、給送ローラの近傍に並行して配設され、且つ給送ローラをその軸方向から見た場合に、少なくとも分離ニップ部近傍に位置する部分が給送ローラに対して径方向の外方に突出す突出位置と径方向の内方に退避する退避位置との間で可動するガイド部材は、剛体からなるので、ガイド部材がメンテナンスの際にユーザーにより壊されることなく、長期間安定して原稿を先端から分離ニップ部へ導くことができ、また、ガイド部材は給紙口側が自由端、その反対側が回転中心となるよう支持された支持端であるので、分離ニップ部にシートが存在するときに、その分離ニップ部近傍の部分を上記退避位置へ確実に変位させることができ、原稿の折れ曲がりや破損を起こすことなく原稿束を給送ローラと分離ローラにて一枚ずつ捌いて装置内へ給送することができる。また、ガイド部材の支持端は給送ローラの回転軸よりも給送方向の下流側に設けてあるため、ピックアップローラと給送ローラの距離を短くしても、ガイド部材の機能が低下するのを防止でき、ピックアップローラ及び給送ローラ周辺を小型化することができる。
【発明を実施するための最良の形態】
【００１６】
以下、本発明の実施の形態を図面を用いて詳細に説明する。
【００１７】
図１は、本発明の実施の形態に係るシート給送装置を備える画像読取装置の全体構成を概略的に示す図である。尚、この構成は概略構成の一例であり、本発明は本構成に限るものではない。
【００１８】
図１に示すように、画像読取装置１は、原稿台２にある原稿束Ｄを検知する原稿検知ユニット３，４と、原稿束Ｄを１枚ずつ給紙口５ａに送り込むピックアップローラ５と、給紙口５ａに１枚ずつ送り込まれた原稿束Ｄを装置内に給送する給送ローラ６とを備える。また、画像読取装置１は、給送ローラ６に分離ニップ部７ａにおいて圧接され、給送ローラ６により給送される原稿束Ｄを１枚ずつに分離する分離ローラ７とを備える。ここで、本実施の形態に係るシート給送装置１００は、上述した原稿台２、ピックアップローラ５、給送ローラ６、分離ローラ７、及び搬送ローラ対９を備える。
【００１９】
また、画像読取装置１は、装置内に１枚ずつ給送された原稿の先端を検知するレジストセンサ８と、装置内に１枚ずつ給送された原稿を画像読取部へ搬送する搬送ローラ対９と、装置内に１枚ずつ給送された原稿の上面の画像情報を読取る読取ユニット１０とを備える。さらに、画像読取装置１は、原稿の下面の画像情報を読取る読取ユニット１１と、読取ユニット１０，１１よりも下流側にあり原稿を装置外部へ排紙する排紙ローラ対１２とを備える。
【００２０】
また、画像読取装置１は上部フレーム１ａ及び下部フレーム１ｂから構成され、上部フレーム１ａが回動軸１３を中心に回動可能であり、手動での装置の開閉が可能である。また画像読取装置１は不図示のホストコンピュータに接続されている。
【００２１】
以上の構成により、画像読取装置１は、原稿の画像の読取時において、次のような動作をする。
【００２２】
まず、ユーザが原稿台２に原稿束Ｄを積載したことを原稿検知ユニット３，４により検知した後、不図示のホストコンピュータからの読取開始信号を受信すると、ピックアップローラ５を原稿Ｄ１に押し付けた状態で回転させ原稿Ｄ１を給紙口５ａへ送り込む。その後、給紙口５ａに送り込まれた原稿Ｄ１は給送ローラ６で装置内へ給送される。尚、このとき原稿束Ｄから複数枚の原稿が給紙口５ａに送り込まれていた場合は、給送ローラ６に対向して配置された分離ローラ７によって１枚ずつに分離されて給送される。
【００２３】
その後原稿Ｄ１は、搬送ローラ対９により挟持され、搬送されつつ、その表裏の画像をそれぞれ読取るための読取ユニット１０，１１の間を通過する。不図示の制御ユニットはレジストセンサ８からの信号によりタイミングをとって、読取ユニット１０，１１の画像読取信号から画像データを生成して画像の読み取りを行なう。画像が読取られた後、原稿Ｄ１は排紙ローラ対１２によって挟持搬送されつつ装置外部へ排出される。
【００２４】
次に、本発明に係るシート給送装置の構成及び原理について図２、図３及び図４を用いて説明する。
【００２５】
図２は、図１におけるシート給送装置１００を模式的に示す要部断面図である。
【００２６】
図２において、シート給送装置１００は、原稿束Ｄを積載する原稿台２と、原稿束Ｄを給紙口５ａへ送り込むピックアップローラ５と、給紙口５ａにより送り込まれた原稿束Ｄを装置内に給送する給送ローラ６とを備える。また、シート給送装置１００は、給送ローラ６に分離ニップ部Ｎにおいて圧接され、且つ給送方向に対して逆の方向に不図示のトルクリミッタを介して伝達される回転トルクにより回転して原稿束Ｄを１枚ずつに捌く分離ローラ７を備える。さらに、シート給送装置１００は、ピックアップローラ５を軸支し給送ローラ６のシャフトを中心に回動するピックアップローラホルダ１４と、搬送ガイド１５とを備える。また、シート給送装置１００は、給送ローラ６の側面近傍に並行して配設され、且つ図２の向かって給紙口５ａ側が自由端１６ｃ、その反対の端が軸支された軸支端１６ａであるガイド部材１６と、ガイド部材１６の自由端１６ｃを押圧する弾性押圧部材１７とを備える。すなわち、ガイド部材１６の自由端１６ｃは、弾性押圧部材１７により下側に付勢される。弾性押圧部材１７が付勢する位置はガイド部材の任意の位置に変更してもよい。
【００２７】
ガイド部材１６の分離ニップ部Ｎ近傍に位置する押圧部１６ｂ（図３）は、給送ローラ６に対してその径方向の外方に突出す突出位置（図２）と、上記径方向の内方に退避する退避位置（図３）の間を可動する。
【００２８】
図４に示すように、分離ニップ部Ｎの間に原稿Ｄ１が挟まっていないときは、ガイド部材１６の自由端１６ｃへの弾性押圧部材１７による下側への付勢によりガイド部材１６の押圧部１６ｂは突出位置に突出する。従って、分離ニップ部Ｎの上流側の通紙経路幅を狭くし原稿Ｄ１を先端から分離ニップ部Ｎ内に導くことができる。
【００２９】
一方、図３に示すように、分離ニップ部Ｎの間に原稿Ｄ１が挟まっているときは、ガイド部材１６の押圧部１６ｂはその原稿Ｄ１により押し上げられて退避位置に移動する。従って、押圧部１６ｂが分離ニップ部Ｎ近傍での原稿Ｄ１の給送の妨げになることはない。また、このとき、ガイド部材１６の自由端１６ｃが弾性押圧部材１７の一端を押し上げて変形させる。
【００３０】
また、ガイド部材１６はポリアセタール等の樹脂やステンレス板等よりなる剛体からなる。これにより、メンテナンスの際にユーザーが触る可能性が高い給紙口５ａ近傍にある上記ガイド部材１６の自由端１６ｃがメンテナンスの際にユーザーにより壊されることを防止できる。
【００３１】
ピックアップローラホルダ１４は、図２のような形状の側面部を図２の手前側にも有しているが、図面の簡略化のためピックアップホルダ１４の手前側の側面部は不図示としている。図２に示されたガイド部材１６の軸支端１６ａ及び弾性押圧部材１７はピックアップローラホルダ１４の手前側の側面部に軸支及び固定されている。
【００３２】
また、上述のように、図２では、給送ローラ６の一方の側面近傍にガイド部材１６及び弾性押圧部材１７が並行して配設されているが、これと同様の構成の不図示のガイド部材及び弾性押圧部材が給送ローラ６の他方の側面近傍にも並行して配設されている。このようにガイド部材を両側に設ければ原稿に傾きがある場合でも有効である。また双方のガイド部材を連結してもよく、連結部にも原稿押圧機能を持たせてもよい。
【００３３】
また、軸支端１６ａは、従来のようにピックアップローラ５と給送ローラ６の間でなく、給送ローラ６のシャフト６ａよりも給送方向の下流側に設けられる。これにより、ピックアップローラ５と給送ローラ６の距離を短くしても、給送ローラ６のシャフト６ａからガイド部材１６の軸支端１６ａまでの距離は任意に変更できる。すなわち、ピックアップローラ５及び給送ローラ６周辺を小型化しても、軸支端１６ａから原稿Ｄ１がガイド部材１６を押し上げる作用点、すなわち分離ニップ部Ｎまでの距離は所望の長さとできる。よって、かかる小型化を行なっても、原稿Ｄ１が弾性押圧部材１７による付勢を押し退けて分離ニップ部Ｎの間を通過するのが阻害されるという問題は生じない。
【００３４】
次にガイド部材１６の特徴的な動きを含めて、給紙動作について説明する。
【００３５】
まず、図３に示すように、原稿台２に積載された原稿束Ｄのうち、最も上にある原稿Ｄ１をピックアップローラ５にて給紙口５ａへ給紙する。その後、原稿Ｄ１が分離ニップ部Ｎの間に入ると、ガイド部材１６の押圧部１６ｂはこの原稿Ｄ１により突出位置（図２）から退避位置（図３）に押し上げられる。
【００３６】
尚、このピックアップローラ５による原稿Ｄ１の給紙の際、原稿台２に積載されている原稿束Ｄ同士の摩擦や静電気により原稿Ｄ１と一緒に原稿束Ｄの他の複数枚の原稿が分離ニップ部Ｎへと給紙されることがある。かかる場合は、給送ローラ６に分離ニップ部Ｎにおいて圧接され、かつ給送方向に対して逆の方向に不図示のトルクリミッタを介して回転トルクを伝達されている分離ローラ７が、原稿Ｄ１以外の原稿を押し戻す。これにより、原稿Ｄ１の１枚のみが給送ローラ６で装置内へ給送される。
【００３７】
次いで、原稿Ｄ１が搬送ローラ対９に狭持されると、ピックアップローラ５及び給送ローラ６の駆動は停止される。具体的には、不図示の駆動モータの励磁を止めて、ピックアップローラ５及び給送ローラ６の駆動を一時停止させる。これにより、給送する原稿同士に所定の間隔を持たせることができ、原稿束Ｄの連続給紙時に、それぞれの原稿同士の区切りを判別したり、排紙整列性を向上させたりすることができる。
【００３８】
本実施の形態においては、ピックアップローラ５及び給送ローラ６は、不図示のワンウェイクラッチにより空転することができる構成となっている。従って、分離ニップＮに原稿Ｄ１が狭持されている間、搬送ローラ対９によって原稿Ｄ１が搬送されるのに伴って給送ローラ６は順回転する。
【００３９】
分離ニップＮに原稿Ｄ１が狭持されている間、ガイド部材１６の押圧部１６ｂは原稿Ｄ１により退避位置に押し上げられているが、この時も、ガイド部材１６の自由端１６ｃを弾性押圧部材１７は押圧している。従って、この弾性押圧部材１７による押圧がガイド部材１６の押圧部１６ｂが押し下げる力は、原稿Ｄ１がガイド部材１６の押圧部１６ｂを押し上げる力より小さくなるように設定される。
【００４０】
次いで、搬送ローラ対９で搬送されている原稿Ｄ１の後端が分離ニップＮから外れると、給送ローラ６は不図示の駆動モータの励磁が止められているため、図４に示すように、圧接する分離ローラ７の回転に伴い逆回転を開始する。この時、原稿Ｄ１と一緒に原稿台２に積載された原稿束Ｄのうち、上から２番目に積載されていた原稿Ｄ２も分離ニップ部Ｎに到達していた場合、原稿Ｄ２は分離ローラ７だけでなく、逆回転を開始した給送ローラ６によっても分離ニップ部Ｎの上流側へと押し戻される。
【００４１】
従来は分離ローラに、薄紙のように剛性の小さい材質の原稿の先端が接触すると、原稿先端部分が局部的に下向きに折れ曲がることがあった。このような場合、原稿は折り目の部分から分離ニップ部Ｎの間に入り、その先端から順には分離ニップ部Ｎの間に入らないことがあった。このような現象は、特に下向きに湾曲している原稿において生じやすい。そこで、本実施の形態においては、分離ニップ部Ｎの直前の通紙経路を下向きに湾曲させて原稿の剛性を大きくし、下向きに湾曲のある原稿でも折れ曲がりを起こさないようにしている。
【００４２】
その後、原稿Ｄ２が分離ニップ部Ｎの上流側に押し戻されると、分離ニップ部Ｎの間には原稿が存在しなくなる。すると、原稿Ｄ１及び原稿Ｄ２によって退避位置まで押し上げられていたガイド部材１６の押圧部１６ｂは、弾性押圧部材１７の押圧力によって押し下げられて突出位置まで移動する。これにより、分離ニップ部Ｎの上流側の通紙経路の幅（図３中のＧ部）がを狭くなる。また、原稿Ｄ２の先端部分は給送ローラ６に接しない位置まで押し下げられると共に、ガイド部材１６の押圧部１６ｂで分離ローラ７に押し付けられ、図４の位置で停止する。
【００４３】
ここで、原稿Ｄ２の先端部分に上向きの湾曲があれば、上記押し下げるが行われることでその湾曲を矯正して原稿Ｄ２の先端部分の剛性を大きくする。また、原稿Ｄ２の先端は給送ローラ６が逆回転をしている場合でも給送ローラ６から離れた位置で停止する。そのため、原稿Ｄ２が上向きに湾曲している場合でも給送ローラ６との接触でさらに上向きの湾曲がひどくなるという事態を防止できる。
【００４４】
このように、原稿束Ｄの原稿が薄紙のような剛性の小さいものにおいても、原稿全域で分離ニップ部Ｎの上流側へと押し戻すことができる。
【００４５】
次いで、上から２番目の原稿Ｄ２を給送するために、ピックアップローラ５及び給送ローラ６が給送方向に駆動を始めると、押し戻されていた上から２番目の原稿Ｄ２はピックアップローラ５にて給送方向に送られる。この時、最も上側になった原稿Ｄ２はガイド部材１６に沿って、またガイド部材１６を押し退けながら分離ニップＮへと導かれる。その後、原稿Ｄ２が分離ニップ部Ｎに狭持されると、ガイド部材１６は原稿Ｄ２に押し上げられて退避位置に退避し、原稿Ｄ２は給送ローラ６により装置内へ給送される。上から３番目以降の原稿も同様にして順次一枚ずつ装置内へ連続給紙される。
【００４６】
なお、本実施形態によるガイド部材１６においては、ピックアップローラホルダ１４’に軸支され回動する構成であるが、各種ローラの回転に依存しない位置に軸支され、回動するのであれば、これに限定されるものではない。
【００４７】
例えば、ガイド部材１６は、搬送ガイド１５等に軸支された構造でも同様の効果を得ることができる。また軸支ではなく、半球形状等の突起を半球形状等の窪みに嵌め合わせる等の機構を用いて支持端を構成し回動可能としてもよい。また、ガイド部材１６の自由端１６ｃを、図５に示すように、弾性変形可能な形状としてもよい。これにより、弾性押圧部材１７（図３）を別途設けなくても同様の効果を得ることができる。また、ガイド部材１６の材料として重量のあるものを選定したり、ガイド部材１６の質量の配分を調整することによっても弾性押圧部材１７なしで同様の効果を得ることができる。
【図面の簡単な説明】
【００４８】
【図１】本発明の実施の形態に係るシート給送装置を備える画像読取装置の全体構成を概略的に示す図である。
【図２】図１におけるシート給送装置を模式的に示す要部断面図である。
【図３】ガイド部材退避時のシート給送装置を模式的に示す要部断面図である。
【図４】ガイド部材突出時のシート給送装置を模式的に示す要部断面図である。
【図５】シート給送装置の変形例の全体構成を概略的に示す側面図である。
【図６】従来のシート給送装置を概略的に示す断面図である。
【図７】図６のシート給送装置のＸ矢視図である。
【図８】可動ガイド回動時の従来のシート給送装置を概略的に示す断面図である。
【図９】従来のシート給送装置の変形例を概略的に示す断面図である。
【符号の説明】
【００４９】
Ｄ  原稿束
Ｄ１，Ｄ２  原稿
Ｇ  原稿先端ガイドの回動によって変化する通紙経路幅
Ｎ  分離ニップ部
ｂ  支点
１  画像読取装置
１ａ  上ユニット
１ｂ  下ユニット
２  原稿台
３，４  原稿検知ユニット
５  ピックアップローラ
６  給送ローラ
７  分離ローラ
８  レジストセンサ
９  搬送ローラ対
１０，１１  読取ユニット
１２  排紙ローラ対
１３  回動軸
１４  ピックアップローラホルダ
１５  搬送ガイド
１６  ガイド部材
１６ａ  軸支端
１６ｂ  押圧部
１６ｃ  自由端
１７  弾性押圧部材
１０１  ピックアップローラ
１０２  アーム
１０３  給送ローラ
１０４  分離パッド
１０５  シャフト
１０６  固定ガイド
１１１  給紙トレイ
１１３  シャフト
１１４  ガイド部材
１１５  弾性薄板部材
１１７  原稿ストッパ
【図１】
2008068968.tif 000003
【図２】
2008068968.tif 000004
【図３】
2008068968.tif 000005
【図４】
2008068968.tif 000006
【図５】
2008068968.tif 000007
【図６】
2008068968.tif 000008
【図７】
2008068968.tif 000009
【図８】
2008068968.tif 000010
【図９】
2008068968.tif 000011